(57)【要約】超広帯域トランシーバ・アーキテクチャおよび関連する方法が一般に説明される。
2006525688.tif 000002
【特許請求の範囲】
【請求項１】
１またはそれ以上のアンテナを介して送信するためのマルチバンド超広帯域（ＭＢ−ＵＷＢ）信号を生成する送信機からなり、前記生成されたＭＢ−ＵＷＢ信号は複数の異なる周波数帯に複数（Ｎ）の狭帯域内パルスを含み、所与の狭帯域内の連続または並列のパルス数（Ｍ）は１より多いパルスであることを特徴とする装置。
【請求項２】
前記送信機は、
前記生成されたマルチバンド超広帯域信号における前記狭帯域パルスの選択したものから送信用の受信内容をエンコードするためのフロント・エンドを含むことを特徴とする請求項１記載の装置。
【請求項３】
前記送信機のフロント・エンドは、
前記内容を受信し、そこにエラー訂正情報を組み込むための１またはそれ以上のエンコーダを含むことを特徴とする請求項２記載の装置。
【請求項４】
前記１またはそれ以上のエンコーダは、前記受信内容に対しリード・ソロモン符号化、パンクチュアード畳み込み符号化、リード−ソロモン符号化と結合した連鎖畳み込み符号化、ターボ符号化、および／または、低密度パリティーチェック（ＬＤＰＣ）符号化の１またはそれ以上を行い、遠隔受信機で受信した信号内のバースト・エラーの検出および訂正を可能とすることを特徴とする請求項３記載の装置。
【請求項５】
前記送信機のフロント・エンドは、
前記エンコーダに応答して、前記エンコードされた内容に対しＭ−ａｒｙの２進直交キーイング（ＭＢＯＫ）を行なうための１またはそれ以上のマッパーを含むことを特徴とする請求項２記載の装置。
【請求項６】
前記送信機のフロント・エンドは、
２進直交の前記マッパーに応答して、複数ブロック（Ｎ）の内容に亘って前記エンコードされた内容をインターリーブするための１またはそれ以上のインターリーバをさらに含むことを特徴とする請求項５記載の装置。
【請求項８】
前記送信機のフロント・エンドは、
前記インターリーバに応答して、インターリーブされた内容を受信し、疑似ランダム雑音（ＰＮ）マスクをそれに適用するためのコンバイナ要素をさらに含むことを特徴とする請求項７記載の装置。
【請求項９】
前記送信機のフロント・エンドは、
前記コンバイナに応答して、マスクされた内容を受信し、プリアンブルをそれに適用するための合計要素をさらに含み、前記プリアンブルは前記マルチバンド超広帯域（ＭＢ−ＵＷＢ）信号の受信機中におけるタイミング同期およびチャネル推定を促進させることを特徴とする請求項８記載の装置。
【請求項１０】
前記送信機は、
前記送信機のフロント・エンドに応答し、前記フロント・エンドから前記エンコードされた内容を受信し、前記受信内容を変調し、超広帯域（ＵＷＢ）スペクトラムの比較的狭い帯域内の複数（Ｎ）のパルスに亘って送信するためにそれを準備する無線周波数（ＲＦ）バックエンドをさらに含むことを特徴とする請求項９記載の装置。
【請求項１１】
前記ＲＦバックエンドは、
前記送信機のフロント・エンドに応答し、前記エンコードされた内容を受信し、直角位相シフト・キーイング（ＱＰＳＫ）を使用して、前記受信内容を変調するためのマルチバンド・モジュレータをさらに含むことを特徴とする請求項１０記載の装置。
【請求項１２】
前記マルチバンド・モジュレータは、２進位相シフト・キーイング（ＢＰＳＫ）を使用して、前記受信内容を変調することを特徴とする請求項１０記載の装置。
【請求項１３】
前記送信機のフロント・エンドは、
前記エンコーダに応答して、複数（Ｎ）ブロックの内容に亘って前記エンコードされた内容をインターリーブするための１またはそれ以上のインターリーバをさらに含むことを特徴とする請求項２記載の装置。
【請求項１４】
前記送信機のフロント・エンドは、
前記エンコーダに応答し、エンコードされた内容を受信し、疑似ランダム雑音（ＰＮ）マスクをそれに適用するためのコンバイナ要素をさらに含むことを特徴とする請求項２記載の装置。
【請求項１５】
前記送信機のフロント・エンドは、
前記エンコーダに応答して、エンコードされた内容を受信し、プリアンブルをそれに適用するための合計要素をさらに含み、前記プリアンブルは前記マルチバンド超広帯域（ＭＢ−ＵＷＢ）信号の受信機中におけるタイミング同期およびチャネル推定を促進させることを特徴とする請求項２記載の装置。
【請求項１６】
前記プリアンブルは、前記超広帯域信号の少なくとも１つの狭帯域サブセットのために複数のＣＡＺＡＣ−１６シーケンス例により生成されることを特徴とする請求項１５記載の装置。
【請求項１７】
前記送信機は、
前記送信機のフロント・エンドに応答し、前記フロント・エンドから前記エンコードされた内容を受信し、前記受信内容を変調し、超広帯域（ＵＷＢ）スペクトラムの比較的狭い帯域内の複数（Ｎ）のパルスに亘って送信するためにそれを準備する無線周波数（ＲＦ）バックエンドをさらに含むことを特徴とする請求項１記載の装置。
【請求項１８】
前記ＲＦバックエンドは、
前記送信機のフロント・エンドに応答し、前記エンコードされた内容を受信し、直角位相シフト・キーイング（ＱＰＳＫ）を使用して、前記受信内容を変調するためのマルチバンド・モジュレータをさらに含むことを特徴とする請求項１７記載の装置。
【請求項２０】
１またはそれ以上のアンテナに結合され、超広帯域スペクトラムの複数の狭帯域に亘って拡散された複数（Ｎ）のパルスを受信しかつ復調し、そこに埋め込まれた内容を回復するための受信機をさらに含むことを特徴とする請求項１記載の装置。
【請求項２１】
前記装置がマルチバンド超広帯域信号を送信しおよび／または受信することができる１またはそれ以上のアンテナをさらに含むことを特徴とする請求項１記載の装置。
【請求項２２】
共通のアンテナを使用して個別の周波数上で同時に送信および受信を可能とするための周波数分割双方向（ＦＤＤ）を使用することを特徴とする請求項２１記載の装置。
【請求項２３】
前記送信機は、前記装置であることを特徴とする請求項１記載の装置。
【請求項２４】
狭帯域の数（Ｎ）は２と２０との間である一方、連続または並列パルスの数が２と１００との間であることを特徴とする請求項１記載の装置。
【請求項２５】
前記超広帯域スペクトラムの狭帯域の数は１５またはそれより少ない数であり、各帯域は５００メガヘルツ（ＭＨｚ）幅であり、毎秒５００＋メガビット（５００＋ｍｂ／ｓ）をサポートすることを特徴とする請求項２４記載の装置。
【請求項２６】
前記狭帯域の少なくとも１つのサブセット内における連続パルスの数は、４またはそれより少ない数であることを特徴とする請求項２４記載の装置。
【請求項２６】
１またはそれ以上のアンテナに応答して、超広帯域（ＵＷＢ）スペクトラムの狭帯域内にパルス数（Ｎ）で構成されたＵＷＢ信号を受信するための受信機を含む装置であって、前記各狭帯域内のパルス数（Ｍ）は１またはそれ以上であり、かつ前記受信機および／または送信機によってダイナミックに制御されることを特徴とする装置。
【請求項２７】
前記受信機は、
前記１またはそれ以上のアンテナに応答して、前記ＵＷＢスペクトラムのいずれかの前記狭帯域内のエネルギーを検出し、タイミング捕捉／同期およびチャネル推定を行なうチャネル捕捉要素を含むことを特徴とする請求項２６記載の装置。
【請求項２８】
前記チャネル捕捉要素は、
前記１またはそれ以上のアンテナに応答して、前記ＵＷＢスペクトラム内における前記複数の狭帯域の選択バンド内にあるプリアンブル情報の検出に基づいて、粗密タイミング捕捉および／または精密タイミング捕捉の１またはそれ以上を実行するタイミング捕捉要素を含むことを特徴とする請求項２７記載の装置。
【請求項２９】
前記受信機は、
前記超広帯域（ＵＷＢ）スペクトラムにおける１またはそれ以上の複数のマルチプル狭帯域内の信号を受信し、かつ前記受信信号を復調する無線周波数（ＲＦ）フロント・エンドを含むことを特徴とする請求項２６記載の装置。
【請求項３０】
前記ＲＦフロント・エンドによって実行される前記復調は、前記受信ＭＢ−ＵＷＢ信号の遠隔の送信機によって行なわれる前記変調と相補的であることを特徴とする請求項２９記載の装置。
【請求項３１】
前記ＲＦフロント・エンドは、前記受信信号に直角位相シフト・キーイング（ＱＰＳＫ）復調を行なうことを特徴とする請求項２９記載の装置。
【請求項３２】
前記受信機は、
送信中に遭遇したエラーの少なくとも１つのサブセットを訂正し、かつ前記受信したＭＢ−ＵＷＢ信号の復調された表現に埋め込まれた内容をデコードし、遠隔の送信機から前記受信機に送信された内容の表現を生成するデジタル・バックエンドを含むことを特徴とする請求項２６記載の装置。
【請求項３３】
前記デジタル・バックエンドは、１またはそれ以上のフィードフォワード・イコライザ、疑似ノイズ・マスク生成器、コンバイナ、ブロック逆インターリーバ、検出器、フィードバック・イコライザおよび／またはデコーダを含み、前記ＭＢ−ＵＷＢ信号の送信中に遭遇したエラーの少なくとも１つのサブセットを識別しかつ訂正し、かつ他の受信機のために意図された信号から前記受信機のために意図された前記受信信号内に埋め込まれたエンコード内容を識別することを特徴とする請求項３２記載の装置。
【請求項３４】
前記受信機に結合され、前記受信機がそれを通してＭＢ−ＵＷＢ信号を受信する１またはそれ以上のアンテナをさらに含むことを特徴とする請求項２６記載の装置。
【請求項３５】
前記装置は、１またはそれ以上のアンテナによってＭＢ−ＵＷＢ信号を同時に送信し受信するために、周波数分割双方向（ＦＤＤ）を使用することを特徴とする請求項３４記載の装置。
【請求項３６】
１またはそれ以上のアンテナを介して送信するためのマルチバンド超広帯域（ＭＢ−ＵＷＢ）信号を生成するための送信機をさらに含み、前記生成されたＭＢ−ＵＷＢ信号は複数の異なる周波数帯の複数（Ｎ）の狭帯域パルスからなり、所与の狭帯域内の連続するパルス数（Ｍ）は１より多いことを特徴とする請求項２６記載の装置。
【請求項３７】
前記装置は、前記受信機であることを特徴とする請求項２６記載の装置。
【請求項３８】
時間−周波数コード拡張を適用してマルチバンド超広帯域（ＭＢ−ＵＷＢ）信号による送信のための内容をエンコードする段階を含む方法であって、前記時間−周波数コード拡張はマルチバンド超広帯域（ＭＢ−ＵＷＢ）信号を含む複数（Ｎ）のいずれかの狭帯域内の連続するパルス数（Ｍ）を定義することを特徴とする方法。
【請求項３９】
前記エンコードする段階は、
前記送信に先立って前記内容に１またはそれ以上のエラー訂正コード、複数アクセス・コード、および／または、プリアンブルを組み入れる段階をさらに含むことを特徴とする請求項３８記載の方法。
【請求項４０】
前記エラー訂正コードは、リード・ソロモン符号化、パンクチュアード畳み込み符号化、リード−ソロモン符号化と結合した連鎖畳み込み符号化、ターボ符号化、および／または、低密度パリティーチェック（ＬＤＰＣ）符号化の１またはそれ以上を含むことを特徴とする請求項３９記載の方法。
【請求項４１】
前記エンコードする段階は、
前記内容にＭ−ａｒｙの２進直交キーイング（ＭＢＯＫ）を適用する段階と、
前記ＭＢＯＫでエンコードされた内容をインターリービングする段階と、
を含むことを特徴とする請求項３８記載の方法。
【請求項４２】
アクセスするマシンによって実行されるとき、前記マシンに請求項３８に従う方法を実行させる内容を含むことを特徴とする格納媒体。
【請求項４３】
内容を利用可能な状態に格納するメモリと、
前記メモリに結合され、請求項３８に従う方法を実行するために前記メモリ内の前記利用可能な状態の内容の少なくとも１つのサブセットを選択的にアクセスし実行する制御論理と、
を含むことを特徴とする通信装置。
【請求項４４】
マルチバンド超広帯域（ＵＷＢ）信号の複数（Ｎ）の狭帯域内における複数（Ｍ）の連続パルスで受信した内容を復調しデコードする方法であって、いずれか所与の狭帯域内における連続パルス数は１より大きいことを特徴とする方法。
【請求項４５】
前記受信したＭＢ−ＵＷＢ信号の１またはそれ以上の帯域に関連した狭帯域干渉（ＮＢＩ）を検出する段階と、
前記ＭＢ−ＵＷＢ信号内で検出された前記ＮＢＩの有害な影響を緩和する段階と、
をさらに含むことを特徴とする請求項４４記載の方法。
【請求項４６】
前記ＮＢＩの有害な影響を緩和する段階は、前記ＭＢ−ＵＷＢ信号の送信機に前記ＮＢＩが検出された帯域の使用を回避するよう指示する段階を含むことを特徴とする請求項４５記載の方法。
【請求項４７】
前記ＭＢ−ＵＷＢスペクトラムの複数の帯域内の選択帯域を分析し、チャネル・クリアランス・アクティビティを実行する段階と、
前記選択帯域内の閾値を越える信号内で識別されたプリアンブル情報に少なくとも基づいたタイミング同期を獲得する段階と、
をさらに含むこと特徴とする請求項４４記載方法。
【請求項４８】
アクセスするマシンによって実行されるとき、前記マシンに請求項４４に従う方法を実行させる内容を含むことを特徴とする格納媒体。
【請求項４９】
内容を利用可能な状態に格納するメモリと、
前記メモリに結合され、請求項４４に従う方法を実行するために前記メモリに選択的にアクセスし、そこに前記利用可能な状態の内容の少なくとも１つのサブセットを実行する制御論理と、
を含むことを特徴とする通信装置。
【発明の詳細な説明】
【技術分野】
【０００１】
本発明の実施例は、一般に、ワイヤレス通信システムに関し、さらに詳しくは超広帯域トランシーバのアーキテクチャおよび関連する方法に関する。
【背景技術】
【０００２】
一般に適用される１つの定義によれば、超広帯域（ＵＷＢ）信号は、中心周波数で分割される帯域幅がおよそ０．２５である信号スペクトラムをいう。ワイヤレス通信のための超広帯域（ＵＷＢ）信号の使用は、その最も基本的な形式では、ワイヤレス通信の初期以来ずっとあちこちにある。しかしながら、今日のワイヤレス通信環境は、超広帯域通信システムの設計に対して多くの難題を示し、例えば、超広帯域通信のための世界的な基準の不足、狭帯域ワイヤレス通信システムとの潜在的な干渉、他の超広帯域アプリケーション（例えばＲＡＤＡＲなど）との干渉を含み、その例示はさらに続く。当業者は、このような多くの設計上の難題によってそのような超広帯域通信を解決させるための研究努力および普及を萎縮させたことを認識している。
【０００３】
本発明の実施例は、添付図面中の番号において、同じ参照番号は類似の要素を参照するが、それらは例として示され、制限するものではない。
【発明の開示】
【０００４】
本発明の実施例は、超広帯域送信機アーキテクチャの１つまたはそれ以上、すなわち、超広帯域受信機アーキテクチャ、送信機と受信機との間で情報を通信するために複数帯域の超広帯域（ＭＢ−ＵＷＢ）通信チャネルを生成する方法、および／または、ＭＢ−ＵＷＢ通信チャネルを受信し、そこから情報を抽出する方法に向けられるが、本発明はこれに制限されるものではない。
【０００５】
本発明の１つの側面によれば、以下により完全に説明されるが、１つまたはそれ以上のアンテナによって送信用マルチバンドの超広帯域（ＭＢ−ＵＷＢ）信号を生成する送信機アーキテクチャおよび関連する方法が示され、生成されたＭＢ−ＵＷＢ信号は、複数（Ｎ）個の狭帯域のいずれかに複数（Ｍ）個の連続するか並列のパルスから構成されており、そのような帯域の少なくとも１つのサブセット内の連続または並列のパルス数（Ｍ）個は１より大きい。
【０００６】
本発明の別の側面によれば、以下により完全に説明されるが、受信機アーキテクチャおよび関連する方法は、マルチバンド超広帯域信号の複数（Ｎ）個の狭帯域のいずれかの連続または並列の複数（Ｍ）個のパルスで受信した内容をデコード（復号化）およびエンコード（符号化）するために示され、そのような狭帯域（Ｎ）個の少なくとも１つのサブセット内の連続または並列のパルス数（Ｍ）個は１より大きい。
【０００７】
この明細書の全体に亘って「ある実施例」または「一実施例」への参照は、その実施例に関して説明された特定の機能、構造または特性が本発明の少なくとも１つの実施例に含まれることを意味する。このように、この明細書全体に亘って様々な場所に現れる「ある実施例において」または「一実施例中の」というフレーズは、必ずしもすべてが同じ実施例を参照するということではない。更に、特定の機能、構造または特性は、１またはそれ以上の実施例中の任意の適切な方法で組み合わせることができる。
【０００８】
送信機アーキテクチャ例
図１は、本発明のある実施例に従う送信機アーキテクチャ例のブロック図である。さらに詳しくは、図１は、本発明の１つの側面に従って、マルチバンド超広帯域（ＭＢ−ＵＷＢ）信号を送信するために設計された送信機アーキテクチャ例を図示する。図１に図示された実施例に従って、送信機１００は、送信機フロント・エンド１０２を含み、それは情報の内容（例えば、オーディオ、ビデオ、データまたはそれらの組合せ）１０１を受信し、エンコードするために受信した情報内容を処理し、その受信内容を開き、その後その内容を送信のために１またはそれ以上のマルチバンド用モジュレータ１０４を含む無線周波数（ＲＦ）バックエンドおよびアンテナ１０６へ渡すが、本発明はこれに制限されるものではない。複数の異種の機能要素として示されているが、当業者はより複雑な送信機アーキテクチャでもより簡素な送信機アーキテクチャでもここに説明された機能が実行でき、そのことは本発明の範囲および思想の範囲内から予測できることを認識するであろう。
【０００９】
図示する実施例に従って、送信機フロント・エンド１０２は、１またはそれ以上のエンコーダ１０８、マッパー１１０、インターリーバ１１２、コンバイナ１１４、合算モジュール１１８、疑似ランダム信号マスク生成器１１６および／またはプリアンブル生成器１２０を含み、各々は図示されるように結合されるが、本発明はこれに制限されるものではない。以上に示されるように、送信機フロント・エンド１０４の要素の１またはそれ以上は、受信内容１０１をエンコードし、デジタル的に変調し、そのような内容をインターリーブしおよび／またはそのような受信内容に伝達ルート情報を付加し、その後その内容を変調および送信のために無線周波数（ＲＦ）バックエンド１０４へ渡す。
【００１０】
図示されるように、送信機１００は、ＭＢ−ＵＷＢ通信チャネル経由で送信する内容を送信機フロント・エンド１０２のエンコーダ１０８で受け取ることができるが、本発明はこれに制限されるものではない。図示する実施例に従って、その内容はブロックへグループ化されかつエンコーダ１０８中でエンコードされ、送信経路中で遭遇するデータのエラーを検出し修正する受信機能力を改善することができる。ある実施例によれば、エンコーダ１０は、リード−ソロモン符号化法（Read-Solomon encoding）を使用して、受信した情報内容をエンコードする。別の実施例では、エンコーダ１０８は、リード−ソロモン符号化法、パンクチュアード畳込み（Punctured Convolutional coding）符号化法、連鎖畳込み（concatenated convolutional）およびリード−ソロモン符号化法、ターボ・コード（重畳または積符号に基づいた低密度パリティーチェック（ＬＤＰＣ）コード）および同種の任意の１またはそれ以上を用いることができる。
【００１１】
ブロック１１０では、ブロック１１２でインターリーブされる前に、エンコードされた内容が、複数のデジタル変調／マッピング技術のうちのいずれかを使用してマップされる。ある実施例によれば、送信機１００は、ＭＢＯＫにエンコードされたデータ（チップ）内容を生成するために、Ｍ−ａｒｙ２進法の直交キーイング（ＭＢＯＫ：M-ary Binary Orthogonal Keying）を使用する。
【００１２】
Ｍ−ａｒｙ２進直交エンコード（M-ary bi-orthogonal encoded）・データは、その後ブロック１１２で、インターリーブされ、いくつかのブロックに亘ってそのエンコードされた情報を拡散し、送信された通信チャネルの受信機内で訂正／等化（ＦＥＣ）のフォワード誤り訂正／等価（ＦＥＣ：forward error correction/equalization）の使用を部分的に可能にする。ある実施例によれば、異なる周波数（以下に議論されるように）に亘ってＭＢＯＫチップをインターリービングすることにより、周波数ダイバーシティの要素、マルチパスの緩和、および全体的な受信機性能の改善を提供する。
【００１３】
ブロック１１４では、多元接続通信チャネル内のエンコードされた内容をユニークに識別するために、Ｍ−ａｒｙの２進直交にエンコードされインターリーブされたデータ・ブロックは、確定的偽似乱数値（deterministic pseudo-random value）と結合される。確定的である間、その疑似ランダム・コードは通信チャネルの意図しない受信機にはランダムに見えるであろう。この点に関して、疑似乱数値の導入によって、ＵＷＢスペクトラム内での多元接続を可能にする。ある実施例によれば、エンコードされかつインターリーブされた内容のブロックに適用される偽似乱数値は、示されるように、偽似雑音（ＰＮ）生成器１１６によって生成されたマスクの形式である。適切にマルチパスを拒否（自己相関）している間、ＰＮマスクは相互相関の可能性を制限する。
【００１４】
ある実施例によれば、送信機１００は、直接シーケンス／周波数（ＤＳ）ホッピング（ＦＨ）符号分割多重接合の伝達情報技術を選択任意の周波数分割多重（ＦＤＭ）と結合して用いることができ、それはランダムのＰＮマスクのアプリケーションが例えばあらゆるチップ（ビット）および／または低レート・コードに適用されるにせよ、部分的に使用することができる。この点に関して、例えばワイヤレス・ネットワーク中の異なるユーザは、長ＰＮシーケンスの異なるオフセットを使用するであろうが、本発明はこれに制限されるものではない。
【００１５】
送信機１００の周波数ホッピングの側面を可能にするために、周波数ホッピング（ＦＨ）コードが、エンコードされた情報ブロックに与えられる。周波数ホッピングは、ＭＢ−ＵＷＢ送信機アーキテクチャ１００の状況下で、送信機が送信中に複数のより狭い周波数帯（Ｎ）個をシンボル単位で移動するプロセスであると定義される。ある実施例によれば、より多くの帯域かあるいはより少ない帯域がここに予想されるが、送信機１００はダイナミックに７つの異なる帯域のうちの１つで送信する。このように、データのフレームが、ＵＷＢスペクトラム内の複数のより狭周波数帯を通して連続して送信される。
【００１６】
ある実施例に従って、送信機１００はシンボル単位で伝送帯を変更する。ある実施例に従って、拡張時間−周波数コードの概念が導入され、ＦＨコード（「１」の時間−周波数コード）に拡張係数（Ｆ）が掛けられるが、その係数は次の周波数帯にホップする前にそのより狭い周波数帯内に連続して送信されるシンボル数を定義する。ある実施例によれば、適用される拡張係数は、周期基準で、つまりシンボル毎に、フレーム毎におよび／または単位時間毎に変化してもよい。
【００１７】
ある実施例によれば、ＦＨコードは、送信機フロント・エンド１０２中の情報内容に適用される。別の実施例では、ＦＨコードは、ＲＦバックエンド１０４中の情報内容に適用される。所与の時間間隔でどのユーザがどの周波数帯にいるべきかの周波数ホッピング（ＦＨ）コードの使用指図に係わらず、ＵＷＢスペクトラム内でのそのようなコードの統合使用は、ＰＮコードと共に、カバレージ・エリア内のユーザ間に一層のチャネライゼーションを提供することができる。これらのサブ・ネットの確立はピコネットと呼ばれ、以下により完全に議論されるが、送信機１００に周波数分割多重化（ＦＤＭ）標準を提供する。
【００１８】
送信機フロント・エンド１０４の要素１１８を要約すると、エンコードされたデータ・ブロックは、プリアンブル生成器１２０によってダイナミックに作成され、プリアンブルを含めるために修正される。ある実施例によれば、プリアンブルは、エンコードされた内容の「前部」へ加えられてもよいが、本発明はこれに限定されるものではない。ある実施例によれば、プリアンブルは２つの要素からなり、つまり第１の要素は１帯域当たりのＣＡＺＡＣ−１６シーケンスの複数の反復（例えば１６）を通って生成され、第２の要素は１帯域当たりのＣＡＺＡＣ−１６シーケンスの複数の反復（例えば１２）を通って生成される。以下により完全に議論されるように、エンコードされた内容にプリアンブルを加えることにより、１またはそれ以上のタイミングの捕捉、同期および／または受信機中で送信信号のチャネル推定を促進させる。
【００１９】
図１に図示する実施例に従って、ＲＦバックエンド１０４は、１またはそれ以上のマルチバンドのモジュレータを含む。ここに使用されるように、マルチバンドのモジュレータ１０４は、送信機フロント・エンド１０２から受け取りエンコードされた内容を変調し、１またはそれ以上のアンテナ１０６によって超広帯域スペクトラム内の（Ｎ）個の狭帯域を介して送信する内容を準備する。ある実施例によれば、多くの変調技術のどれでも代わりに使用することができるが、マルチバンドのモジュレータ１０４は、直角位相シフト・キーイング（ＱＰＳＫ）モジュレータを通して受信内容を渡すことができる。ある実施例によれば、ＦＨコードおよび／または拡張ＦＨコードはマルチバンドの送信を可能にするためにマルチバンドのモジュレータ１０４に与えられる。以上に示されるように、ＦＨコードによって送信機１００は超広帯域スペクトラム内の（Ｎ）個の狭帯域を介してデータのフレームをシンボル単位で送信することができる。拡張時間−周波数（あるいは拡張ＦＨ）コードの使用によって、送信機は所与の狭帯域内で（Ｍ）個のシンボルを送信し、その後次の狭送信帯域へ移動する（ホッピング）。
【００２０】
図２へ移って、送信内容のフレーム内のシンボルに適用される時間−周波数（ＦＨ）コードの図解例が、本発明の実施例に従って示される。参照番号２００に関して、ＦＨコードに適用される拡張係数が１である実施例、つまり、周波数ホッピングが、増加基準で、つまりグラフ２００中で示されるようなチップ単位で発生している。このように、サブフレーム（Ｔｆ１）内の各チップ（Ｔｃ）については、新しい周波数帯（ｆ１，ｆ２，ｆ３・・・ｆ７）が送信のために選択される。
【００２１】
グラフ２５０において、４の拡張係数が適用される場合の実施例、つまり、次の周波数帯にホップする前に、４つの連続するチップが周波数帯内で送信された後、周波数ホッピングが生じている。図示されるように、４つのチップがｆ１上で、その後ｆ２上で４つのように送信される。この点に関して、本発明の１つの側面によれば、送信機１００は、ＵＷＢスペクトラムにおける任意の（Ｎ）個の狭周波数帯の少なくとも１つのサブセット内で連続する任意の（Ｍ）個のパルスを送信するために受信内容を処理する。マルチキャリアのＣＤＭＡまたはＯＦＤＭシステムにおけるように、これらのパルスもパラレルで送信し受信することができる。
【００２２】
図３は、本発明の１つの側面に従って、拡張時間−周波数コードの使用を示す時間−周波数グラフである。図３に示される実施例に従って、グラフ３００は、次の送信用狭周波数帯（ｆ２）にホップする前に、ＵＷＢスペクトラムの第１の狭周波数帯（ｆ１）内で送信される複数のチップを示す。さらに詳しくは、グラフ３００は、６／３バイトのインターリービング遅延（同相（Ｉ）／直角位相（Ｑ）のインターリービング戦略に依存して）を有する４つの双直交コードワード（１・・・４）のブロック・インタリービングを図示する。この点に関して、フレーム（１，２，３・・・として表示された）の増加内容（チップ、シンボルなど）は、マルチプル周波数帯を介して拡張され、時間的に分離される（例えば８４ナノ秒）。
【００２３】
図４は、本発明の一実施例に従って、変調されたフレーム要素（例えばシンボル）の図解表示を提供する。本発明の一実施例に従って、ＲＦバックエンド１０４は修正されたコサイン波形４００を使用して、狭周波数帯（ｆ１，ｆ２・・・ｆＮ）内で各シンボルを送信するが、本発明はこれに制限されるものではない。ある実施例によれば、修正されたコサイン形状を備える３ナノ秒のパルスは、７００ＭＨｚの帯域幅および５５０ＭＨｚのチャネル分離で生成される。ある実施例によれば、干渉（例えば狭帯域干渉）および／またはチャネル・オーバラップの影響を低減させるために、２７５ＭＨｚの周波数分離のオフセットが、送信機１００によって選択的に適用されてもよい。ＦＨコードを使用するシンボルの送信はグラフ４５０に関して示される。
【００２４】
受信機アーキテクチャ例
図５は、本発明の一実施例に従う受信機アーキテクチャ例のブロック図である。図５に示す実施例に従って、受信機５００は、１またはそれ以上のアンテナ５０２、タイミング捕捉およびチャネル推定ブロック５０４、ＲＦフロント・エンドおよびマルチバンド復調器５０６、および受信機バックエンド５０８を含み、各々は図示されるように結合されるが、本発明の範囲はこれに制限されるものではない。
【００２５】
ある実施例によれば、受信機５００は、１またはそれ以上のアンテナ５０２によって受け取られ、マルチバンド超広帯域（ＵＷＢ）信号の複数（Ｎ）個の狭帯域内に直列または並列の複数（Ｍ）個のパルスが埋め込まれた内容を検出し、復調し、および／または、デコード（あるいはそれらの組合せを）するために適用され、いずれの狭帯域内の直列または並列のパルス（Ｍ）個の数も１より大きい。当業者は、受信機アーキテクチャが複数の異種の要素として示されているが、受信機アーキテクチャがより複雑であってもまたはより簡素であってもここに記載された機能を実行し、それが本発明の範囲および思想内で予測されることを認識するであろう。
【００２６】
図示されるように、受信機５００は、超広帯域信号を受信するために１またはそれ以上の受信アンテナで結合された無線周波数（ＲＦ）フロント・エンドおよびマルチバンド復調器５０６を含む。ＲＦフロント・エンド／マルチバンド復調器５０６は、複数（Ｎ）個の狭帯域（ｆ１・・・ｆＮ）のいずれかで受け取られたマルチバンドの信号を受信しデジタル化する要素を含み、１またはそれ以上のアンテナ２０２に影響を与える超広帯域信号を含む。その後、このようなデジタル化された内容は受信機バックエンド５０８に送られ、その受信信号内に埋め込まれたエンコードされた内容を回復するためにさらに処理され、かつデコードされる。
【００２７】
チャネル検出を促進させるために、受信機５００は、アンテナ５０２によって受信した信号に応答するタイミング捕捉／チャネル推定要素５０４を含んで描かれる。以下により完全に議論されるように、タイミング捕捉／チャネル推定要素５０４は、１またはそれ以上のＲＦフロント・エンド／マルチバンド復調器５０６および／または受信機バックエンド５０８の要素と結合され、１またはそれ以上のチャネル捕捉、狭帯域干渉（ＮＢＩ）の緩和および／または内容デコード、エラー訂正、および回復を促進させる。ここに使用されるように、タイミング捕捉／チャネル推定要素５０４は、受信した通信チャネルを識別し、タイミング同期情報を１またはそれ以上のＲＦフロント・エンド／マルチバンドのモジュレータおよび／または受信機バックエンド５０８の要素に提供する。タイミング捕捉／チャネル推定要素５０４の例のブロック図およびプリアンブル検出方法を示すフローチャートが、図７−図９に関して示され、以下により完全に説明されるであろう。
【００２８】
ＲＦフロント・エンドおよびマルチバンド復調器５０６は、超広帯域（ＵＷＢ）信号である複数（Ｎ）個の狭帯域の１またはそれ以上の中で検出された信号を復調する。ある実施例によれば、ＲＦフロント・エンドおよびマルチバンド復調器５０６は、超広帯域スペクトラム内の（Ｎ）個の狭帯域の１またはそれ以上に選択的に応答し、ここで受信された少なくとも１つのサブセットの信号内容を検出し復調する。ある実施例によれば、ＲＦフロント・エンド／マルチバンド復調器５０６は、このような受信信号の捕捉および復調においてタイミング捕捉／チャネル推定要素５０４から受信した情報を使用する。
【００２９】
ある実施例によれば、ＲＦフロント・エンド／マルチバンド復調器５０６は、複数の復調メカニズムを受信信号に適用する。ある実施例によれば、マルチバンド復調器５０６は、送信機で使用される変調メカニズムと相補的な復調メカニズムを適用する。ある実施例によれば、マルチバンド復調器５０６は、直角位相シフト・キーイング（ＱＰＳＫ）復調を受信信号の少なくとも１つのサブセットに適用する。ある実施例によれば、受信機５００は、複数の変調技術いずれにでもダイナミックに適用できる。ＲＦフロント・エンド／マルチバンド復調器５０６のブロック図は、図６において、以下により完全に議論されるであろう。
【００３０】
ある実施例によれば、ＲＦフロント・エンド／マルチバンド復調器からの復調された内容は、受信機バックエンド５０８に与えられる。図５に図示する実施例に従って、受信機バックエンド５０８は、１またはそれ以上のフィードフォワード・イコライザ５１０、ＰＮマスク生成器５１４と関連するコンバイナ５１２、逆インターリーバ５１６、検出器５１８、フィードバック・イコライザおよび／またはデコーダ５２２を含み、各々は図示のように結合されるが、本発明はこれに制限されるものではない。
【００３１】
図示されるように、ＲＦフロント・エンド５０６から受け取られる内容は、フィードフォワード・イコライザ５１０を通して渡され、信号送信中に遭遇するブロック・エラーの第１のパスを修正する。ある実施例によれば、フィードフォワード・イコライザは、受信機に到着する、異なる経路から反射したエネルギーを「集める（rake）」ために最大レシオ・コンバイナ（ＭＲＣ：maximum-ratio combiner）を使用することにより、マルチパスからのエネルギーを捕らえるレーキ・タイプの受信機であってよい。あるいは、このフィードフォワード・イコライザは、ノイズ強調、エネルギー捕獲および自己干渉のバランスを保つ最小平均二乗誤差（ＭＭＳＥ）フィルタとして実行してもよい。この点に関して、ある実施例によれば、ＭＭＳＥフィルタは、ＭＭＳＥフィルタ・タップを作成するために、１またはそれ以上のチャネル推定を使用し、チャネル相関マトリックスを作成し、さらにステアリング・ベクトルに関連する相関マトリックスの逆を生成するブロック形式中で実行することができる。あるいは、標準ＬＭＳまたは高速ＲＬＳアルゴリズム、およびトレーニングのためのパケット先頭の適切なプリアンブル・シーケンスを使用して、ＭＭＳＥフィルタ係数をトレーニングすることができる。処理結果の内容は、生成されたＰＮマスク５１４がその内容に適用されるコンバイナ５１２を通して渡される。受信機５００は、少なくとも一部所与のチャネルに関連した内容をデコードするためにＰＮマスクを使用する。
【００３２】
このＰＮでデコードされた内容は、逆インターリーバ５１６に与えられる。ある実施例によれば、逆インターリーバ５１６は、受信信号の複数の周波数帯を介して受け取られたデータ・ブロックを逆インターリービングするためにインタリービング・アルゴリズムに補数を適用する。
【００３３】
逆インターリーブされた内容は、検出器５１８に与えられる。ある実施例によれば、検出器５１８は、信号の送信機中で行なわれたマッピング・プロセスに補数を適用する。ある実施例によれば、検出器５１８は、さらに受信内容をデコードするために逆Ｍ−ａｒｙの２進直交キーイングを行なう。送信機は複数のマッピング機能のいずれを使用してもよいので、受信機はこのような内容をデコードする複数の相補的な検出器機能のいずれかを同様に適用できることを認識するであろう。
【００３４】
検出器５１８でデコードされた内容は、フィードバック・イコライザ５２０に与えられる。ある実施例によれば、フィードバック・イコライザ５２０は、そこに識別されたエラーの少なくとも１つのサブセットを修正するためにデコードされた内容を分析する。ある実施例によれば、フィードバック・イコライザ５２０は、検出器プロセスで適用されるために検出器５１８に情報を戻す。上記紹介されたように、フィードフォワード・イコライザ、検出器およびフィードバック・イコライザは、反復する復号化プロセスとして実行してもよい。そのような反復プロセス例のブロック図が図１１に示される。
【００３５】
その後、フィードバック・イコライザ５２０からの内容は、デコーダ５２２に与えられる。ある実施例によれば、デコーダ５２２は、送信機で適用されるエラー訂正法（例えばリード−ソロモン符号化法）に補数を適用する。上記のように、送信機によって使用された複数の符号化技術のうちのどれにでも適応できるように、受信機５００はデコーダ５２２で複数の復号化技術のうちの何かを適用することができる。この点に関して、デコーダ５２２は、リード−ソロモン復号化法、パンクチュアード重畳復号化法、ターボ復号化法、連鎖重畳およびリード−ソロモン復号化法、低密度パリティーチェック（ＬＤＰＣ）復号化法および同種の任意の１またはそれ以上を用いることができる。
【００３６】
図示されるように、受信機バックエンド５０８の出力は、ＭＢ−ＵＷＢ信号によって遠隔の送信機から送信された情報内容を表す表現５０１である。
【００３７】
図６は、本発明の一実施例に従って、無線周波数フロント・エンド例のブロック図を図示する。ある実施例によれば、受信機フロント・エンド６００は、１またはそれ以上のフィルタ６０２、増幅要素６０４、サブバンド周波数生成器６１０、および１またはそれ以上のコンバイナ６０６，６０８を含む並列処理経路、フィルタ／積分器６１２，６１４、およびアナログ・デジタル変換器６１６，６１８を含んで示され、各々は図示されるように結合されるが、本発明はこれに制限されるものではない。
【００３８】
図示されるように、受信機フロント・エンド６００は、１またはそれ以上のフィルタ要素６０２で１またはそれ以上のアンテナ５０２からの信号内容を受信する。図示する実施例に従って、フィルタ要素６０２は帯域通過フィルタであってもよい。
【００３９】
その後、フィルタされた信号内容は、１またはそれ以上の増幅要素６０４に与えられる。ある実施例によれば、その増幅要素は自動利得制御（ＡＧＣ）機能を有する低ノイズ増幅器（ＬＮＡ）を含んでいてもよい。
【００４０】
その後、増幅要素６０４の出力は、並列処理経路へ分割される。ある実施例によれば、並列処理経路は、受信信号の同相（Ｉ）表現および受信信号の直角位相（Ｑ）表現に関係する。以上において導入されるように、このような処理経路の各々はコンバイナ要素６０６を含んでいてもよい。ある実施例によれば、コンバイナ要素は、増幅器６０４から受け取った内容をサブバンド生成器６１０から受け取った信号で乗算する。ある実施例によれば、ＳＢ生成器６１０から２つのコンバイナで受け取られる信号は、他のものとは位相がはずれている（例えば９０度だけ）。
【００４１】
図示されるように、コンバイナ６０６，６０８は、フィルタ／積分器要素６１２，６１４と結合される。ある実施例によれば、信号は、アナログ積分回路６１２，６１４を通って処理される前に低域フィルタ（ＬＰＦ）を通して渡されるが、本発明はこれに制限されるものではない。
【００４２】
フィルタ／積分器要素６１２，６１４の結果出力は、アナログ・デジタル変換器（ＡＤＣ）６１６，６１８に渡されるが、本発明はこれに制限されるものではない。この点に関して、受信信号のアナログ表現は、上記導入されたように、受信機バックエンド５０８中で次の復調、エラー訂正およびデコードのためにデジタル化される。
【００４３】
図７は、本発明の一実施例に従って、プリアンブル検出方法例のフローチャートである。図７が図示する方法例に従って、その方法はブロック７０２から始まり、そこで、受信機（例えば５００）は超広帯域スペクトラム内の（Ｎ）個の狭帯域の少なくとも１つのサブセット中の信号エネルギーを探索する。ある実施例によれば、その信号エネルギーは、ビーコンまたは他のデータ関連信号に関係しており、それは通信チャネルと関連するプリアンブル情報を含んでいる。
【００４４】
ある実施例によれば、受信機５００は、スレシホールドを越える１またはそれ以上のＮ個の狭帯域内の信号エネルギーを探索して、チャネル・クリアランス・アクティビティを行なう。ある実施例によれば、受信機５００は、信号エネルギーを識別するためにＮ個の狭帯域の各々をランダムにチェックする。ある実施例において、レーキ受信機のアーキテクチャは、Ｎ個の狭帯域のいずれをも同時にエネルギーを検出するために使用される。粗密タイミング捕捉回路例が図８のブロック図に示される。
【００４５】
図８は、本発明の一実施例による粗密タイミング捕捉回路例のブロック図を図示する。図８に図示する実施例に従って、受信信号８０２は、例えば、同相処理経路および直角位相処理経路を含む並列処理経路へ分割される。この点に関して、１またはそれ以上の処理経路は、コンバイナ要素８０４，８０６、サブバンド信号発生器８０８、フィルタおよびアナログ・デジタル変換器要素８１０，８１２からの入力、および逆多重化要素８１４，８１６を含み、その処理経路からの信号を、例えば信号を受信する複数（Ｌ）のサブバンドの各々に関連する複数のプリアンブル・シーケンス検出器８１８に、分配する。
【００４６】
図示されるように、プリアンブル・シーケンス検出器８１８は、プリアンブル・シーケンス・フィルタ８２０，８２２を含む。ある実施例によれば、そのフィルタは、所与のバンドに関連したプリアンブル・シーケンスを通過するために整合している。その整合フィルタの出力はブロック８２４で２乗され、その後ブロック８２６で合計される。ブロック８２６では、フィルタからの出力を２乗したエンベロープの合計が生成され、ブロック８２８の検出ロジックに渡される。ある実施例によれば、検出ロジック８２８は、前述のバンド内の信号の存在を示して、所与のバンド内のプリアンブルに関連する出力のレベルがスレシホールドを越えているかどうかを判断する。この点に関して、検出ロジック８２８は、パルス・タイミングおよび周波数シーケンスを初期化するために使用し、ＭＢ−ＵＷＢ相関受信機を実現してもよい。図７に戻って、受信機５００のタイミング捕捉要素５０４は、ブロック７０４で精密タイミング捕捉を実行する。
【００４７】
ブロック７０２で、信号を検出しかつ粗密タイミング捕捉を実行して、ブロック７０４は、本発明の１つの側面に従って、精密タイミング同期を行なうために選択的に実行されてもよい。精密タイミング捕捉を行なうための回路例は、図９のブロック図に示される。
【００４８】
図９へ移って、本発明の１つの実施例による精密タイミング捕捉回路例のブロック図が示される。図９に図示する実施例に従って、受信信号９０２は、例えば同相処理経路および直角位相処理経路を含む並列処理経路へ分割される。この点に関して、１またはそれ以上の処理経路は、コンバイナ要素９０４，９０６、サブバンド信号発生器９０８、フィルタおよびアナログ・デジタル変換器要素９１０，９１２からの入力、および逆多重化要素９１４，９１６を含み、その処理経路からの信号を、例えば信号を受信する複数（Ｌ）のサブバンドの各々に関連する複数のプリアンブル・シーケンス検出器９２０，９２２に、選択的に分配する。ある実施例によれば、以下により完全に説明されるが、精密タイミング捕捉回路９００は、時間−周波数（ＦＨ）コードを使用して（Ｌ）個のサブバンドのすべてを復調し、粗密タイミング回路８００はＬ個のサブバンドの時間−周波数コード・パルス発生器タイミング要素９０８を初期化するために使用される。
【００４９】
図示されるように、プリアンブル・シーケンス検出器９２０，９２２は複雑なプリアンブル・シーケンス・フィルタ９２４，９２６を含んでいてもよい。そのフィルタは、所与のバンドに関連したプリアンブル・シーケンスを通過するために整合している。その整合フィルタの出力はブロック９２８，９３０で２乗され、その後ブロック９３２で合計される。ブロック９３２では、フィルタからの出力を２乗したエンベロープの合計が生成され、ブロック９３４のスレシホールドおよび交叉検出ロジックに渡される。検出器９３４は、ブロック９３６で、例えばあらかじめ指定された範囲にわたって、パルス発生器９０８のタイミングをある値δだけ調整する。ブロック９３２の合計がこの範囲にわたってすべてのオフセットδのために計算されると、前述の合計の最大値を備える特定のオフセットが、ブロック９０８においてパルス発生器の精密タイミングのために選択される。ある実施例によれば、パルス発生器９０８のタイミングは、粗密タイミングのまわりの＋／−２ｎｓの範囲にわたってδ（例えば１ｎｓ）増加で変えられる。
【００５０】
タイミング捕捉、チャネル推定および復調に加えて、ＲＦフロント・エンドは狭帯域干渉（ＮＢＩ）緩和機能を含んでいてもよい。この点に関して、図１０は、本発明の一実施例に従って、狭帯域干渉（ＮＢＩ）検出機能例のブロック図を提供する。図１０に図示する実施例に従って、ＮＢＩ緩和要素１０００は、１またはそれ以上のスクエア要素（squarer element）１００２、積分器要素１００４および／または比較器要素を含み、各々は図示されるように結合されるが、本発明はこれに制限されるものではない。狭帯域干渉検出要素がより複雑であってもまたはより簡素であってもここに記載された少なくとも１つのサブセットの機能を実行し、それが本発明の範囲および思想内で予測されることを認識するであろう。
【００５１】
ある実施例によれば、狭帯域干渉（ＮＢＩ）検出器１０００は、サブバンド・エネルギー検出器と見なされてよく、この点に関して、ＮＢＩを識別する受信信号からの構造情報に依存しない。積極的にＮＢＩを軽減するために信号構造（例えば８０２．１  ａ／ｂプリアンブル情報など）を活用する代替の実施例が想起される。
【００５２】
ある実施例によれば、ＮＢＩ緩和要素１０００によって検出される強い干渉（例えば−３ｄＢより大きな信号対干渉比（ＳＩＲ））の検出に際して、受信機５００は、ＮＢＩのような指示を送信機へ送出する。そのような指示は、そのような干渉を経験するバンド内での送信を回避する要求として、送信機は解釈する。ある実施例によれば、送信機は、あるマージン、例えば２７５ＭＨｚだけ伝送帯の中心周波数をシフトすることができる。
【００５３】
ＮＢＩのより弱いソースに対しては、緩和要素１０００によって、受信機内のリンク設計は受信信号からそのような干渉を、例えばＭＢＯＫ／ＲＳ符号化などの使用を通じて、取り除くことができる。
【００５４】
図１１は、本発明の一実施例に従って、デジタル・バックエンドのサブセット例のブロック図である。さらに詳しくは、フィードフォワード・イコライザ５１０、検出器５１８およびフィードバック・イコライザ５２０の１つの反復が、本発明の一実施例に従って描かれる。上記で導入されたように、受信機フロント・エンドからの内容は、このデコード要素１１００の複数の反復を通して渡されるであろう。
【００５５】
図１１に図示する実施例に従って、デコード要素１１００は、レーキ・コンバイナ１１０４（１）・・・（Ｎ）、２進直交検出器１１０６（１）・・・（Ｎ）、２進直交シンボル再生器１１０８（１）・・・（Ｎ）、干渉キャンセラ１１１０（１）・・・（Ｎ）およびレーキ／２進直交検出器１１１２（１）・・・（Ｎ）の１またはそれ以上を含んで示され、各々は図示されるように結合される。複数の異種の機能要素として図示されているが、当業者は、ここに開示された情報からより大きなまたはより小さな機能ブロックを備えるデコーダ要素１１００であっても、本発明の範囲および思想内で予測できることを理解するであろう。さらに、このフィードフォワード・イコライザは、ノイズ増強、エネルギー捕捉および自己干渉をバランスする最小平均二乗誤差（ＭＭＳＥ）フィルタであってもよい。ＭＭＳＥフィルタは、ＭＭＳＥフィルタ・タップを作成するために、チャネル推定を使用し、チャネル相関マトリックスを作成し、さらにステアリング・ベクトルに関連する相関マトリックスの逆を生成するブロックの形式中で実行することができる。あるいは、標準ＬＭＳまたは高速ＲＬＳアルゴリズム、およびトレーニングのためのパケット先頭の適切なプリアンブル・シーケンスを使用して、ＭＭＳＥフィルタ係数をトレーニングすることができる。
【００５６】
図１１に示されるように、入力サンプル１１０２は、例えば、受信機フロント・エンド５０６から受け取られ、１またはそれ以上の干渉キャンセラ１１１０（１）・・・Ｎと同時に複数のレーキ・コンバイナ１１０４（１）・・・（Ｎ）にも渡される。レーキ・コンバイナ１１０４は、レーキ受信機の様々なフィンガからのエネルギーを２進直交検出器１１０６へ示すために結合する。ここに使用されるように、２進直交検出器１１０６は、受信信号内のＭＢＯＫコードを識別することを試みる。
【００５７】
ブロック１１０８において、信号はＭＢＯＫにエンコードされたシンボルをデコードするために２進直交シンボル再生成器に渡される。その後、このデコードされた情報は、干渉キャンセラ１１１０に渡される。当業者は、上記の議論から、評価するだろう、ＭＢＯＫは、エンコードするスキームのほんの適切な例であり、そういうものとして図１１の実施例が上記リストされた複数のコーディング／デコーディング・スキームのいずれかに適するために受信機５００によってダイナミックに修正されるのはもっともである。この点に関して、要素１１０４−１１０８および要素１１１２の名称は所与のワイヤレス通信環境のために実際に実行されるコーデックを反映するために修正されるであろう。
【００５８】
図示されるように、干渉キャンセル要素１１１０の出力は、１またはそれ以上の後続レーキ・コンバイナ、検出器、およびシンボル再生成要素１１１２，１１１６，１１２０，１１２４と共にそれらの間に図示されるように配置された追加の干渉キャンセル要素に渡され、堅固なデコーディング／干渉キャンセル受信機アーキテクチャを提供する。
【００５９】
前述の議論は、新規な超広帯域受信機アーキテクチャ例および関連する方法はもちろん、新規な超広帯域送信機アーキテクチャ例および関連する方法の実施例を詳述したと考えられる。新規な超広帯域送信機アーキテクチャを構成するために、そのような１またはそれ以上の要素が、互いにおよび／または旧式要素と結合されることが構想される。実施例は、旧式の超広帯域受信機と組合された新規な超広帯域送信機および関連する方法、開示されたＵＷＢ受信機および関連する方法と組合された旧式のＵＷＢ送信機、および／または、新規なＵＷＢ受信機アーキテクチャおよび関連する方法と組合された新規のＵＷＢ送信機および関連する方法を含む。前出の実施例におけるいずれかの１またはそれ以上のものは、シリコン、ハードウェア、ファームウェア、ソフトウェア、および／または、それらの組合せの中で実現されるであろう。
【００６０】
次に、図１２へ移って、１またはそれ以上の送信機アーキテクチャ１００、受信機アーキテクチャ５００、または、上記紹介された送信機アーキテクチャの１つによって実行されるネットワーク制御機能が説明される。さらに詳しくは、本発明の実施例における別の側面に従って、図１２は、ピコネットを確立する方法例のフローチャートを図示する。
【００６１】
図１２に図示する実施例に従って、その方法は、ピコネット制御装置（ＰＮＣ）が潜在的な干渉者を表示する信号をスキャンするブロック１２０２で始まる。上記導入されるように、ピコネット制御装置（ＰＮＣ）は、送信機アーキテクチャ、受信機アーキテクチャ、トランシーバ、または、それらのいずれでもない中に具体化されるであろう。ある実施例によれば、表示信号は、例えば別のＰＮＣからのビーコン信号であってもよい。さらに詳しくは、ＰＮＣは、ＰＮＣがその表示信号に使用することを要求する時間−周波数（あるいは周波数ホッピング（ＦＨ））コードを使用する表示信号を探索する。
【００６２】
ブロック１２０４では、ＰＮＣは、いずれかの表示信号が識別されたかどうかを判断する。矛盾する表示信号が識別される場合（ブロック１２０４）、ＰＮＣは、利用可能な場合、代替の時間−周波数（ＦＨ）コードを使用することを試みてもよく、ブロック１２０６、その後そのプロセスはブロック１２０２に戻る。
【００６３】
他のＦＨコードが利用可能でない場合、ＰＮＣは、追加の多重化技術を使用して、子ピコネット・ネットワークを確立することを試みる。この点に関して、ＰＮＣは、ＦＨコードと結合して周波数分割多重化、時分割多重化などの１またはそれ以上を使用して子ピコネット・ネットワークを確立することを試みる。
【００６４】
ブロック１２１０で子ピコネットが確立するか、あるいは、ブロック１２０４で干渉表示信号が検出されなかった場合、ＰＮＣは潜在的な干渉源を識別するために（Ｎ）個の所望伝送帯をスキャンする。
【００６５】
ブロック１２１２では、ＰＮＣは、サポートされたバンドの数、前述の各バンド中で使用するＦＨコードなどを表示する送信用メッセージを遠隔のピコネット・メンバーのために生成する。
【００６６】
ブロック１２１４（点線で表示された）では、ピコネットに加わる受信装置はＰＮＣからのそのようなメッセージをスキャンし、（バンド、ＦＨコードなどを選択する）動作パラメータの少なくとも１つのサブセットを採用して、そのピコネットに選択的に参加する。
【００６７】
代替実施例
前述の例は本発明を単に開示する例示あるので、他の実施例および具体例は本発明の範囲内で容易に想起されることを当業者は理解するであろう。そのような代替の実施例は、以下簡潔に説明される。
【００６８】
図１３は、アクセス機器によって実行されるとき、その機器に上述された革新的な超広帯域トランシーバ・アーキテクチャおよび関連する方法の１またはそれ以上の側面を実行させる実行可能な内容を含む記憶媒体例のブロック図である。この点に関して、記憶媒体１３００は、本発明の一実施例に従って、ＵＷＢ信号を構成する、任意の数（Ｎ）個のより狭い周波数帯内の連続する任意の数（Ｍ）個のパルスから成るマルチバンド超広帯域（ＭＢ−ＵＷＢ）信号をトランシーバ・アーキテクチャに生成させ受信させる内容１３０２を含む。
【００６９】
ここに使用されるように、機械読取り可能媒体１３００は、フレキシブル・ディスク、光ディスク、ＣＤ−ＲＯＭおよび光磁気ディスク、ＲＯＭ、ＲＡＭ、ＥＰＲＯＭ、ＥＥＰＲＯＭ、磁気または光カード、フラッシュ・メモリ、あるいは電子命令の格納に適する他のタイプの媒体／機械読取り可能媒体を含むが、しかしこれらに限定されるものではない。さらに、本発明は、計算機プログラム製品としてダウンロードされることがあり、そこでは、そのプログラムは通信リンク（例えば有線／ワイヤレス・モデムまたはネットワーク接続）によって搬送波または他の伝播媒体に埋め込まれたデータ信号によって、遠隔コンピュータから要求元コンピュータへ転送されてもよい。
【００７０】
上記説明では、説明のために多数の特定の詳細事項が本発明についての完全な理解を提供するために述べられている。しかしながら、本発明がこれらの特定の詳細事項がなくても本発明が実施されることを当業者には明らかである。他の実施例では、周知の構造および装置はブロック図の形で示される。
【００７１】
本発明は多様なステップを含んでいる。本発明のステップは、ハードウェア要素によって実施されてもよく、マシン実行可能な内容（例えば命令）で具体化されてもよく、それは命令でプログラムされた汎用または専用プロセッサ、または論理回路にそのステップを実行させるために使用されてもよい。あるいは、ステップはハードウェアとソフトウェアの組合せによって実行されてもよい。さらに、本発明は、ネットワーク装置の構成で説明されたが、当業者は、そのような機能性が多くの代替実施例のいずれにおいても、例えば、コンピューティング装置（例えばサーバ）内に統合されて具体化されるということを認識するであろう。
【００７２】
多くの方法がそれらの最も基礎的な形式で説明されたが、しかし、本発明の基本的な範囲から逸脱しないで、いずれの方法からもステップを追加したり、削除したりすることができ、説明されたメッセージのいずれにおいても情報を加えたり削除したりすることができる。本発明の概念の多くの変形が本発明の範囲および思想内で予測される。
【００７３】
この点に関し、図示された特定の実施例は、単に図示するためのものであり、本発明を限定するために提供されるのではない。このように、本発明の範囲は、上記提供された特定の実施例によって判断されるのではなく、以下の請求項の言語だけによってのみ判断される。
【図面の簡単な説明】
【００７４】
【図１】本発明の一実施例に従って、送信機アーキテクチャのブロック図である。
【図２】本発明とは異種の実施例に従って、送信用シンボルに適用される時間−周波数コードを示すグラフである。
【図３】本発明の一実施例に従って、拡張時間−周波数コードの使用を描く時間−周波数グラフである。
【図４】本発明の一実施例に従って、そのような変調シンボルの時間−周波数グラフと同様に変調シンボルのグラフ表示を提供する。
【図５】本発明の一実施例に従って、受信機アーキテクチャ例のブロック図を図示する。
【図６】本発明の一実施例に従って、無線周波数フロント・エンド例のブロック図を図示する。
【図７】本発明の一実施例に従って、プリアンブル検出方法例のフローチャートである。
【図８】本発明の一実施例に従って、粗密時間捕捉回路例のブロック図を図示する。
【図９】本発明の一実施例に従って、細密時間捕捉回路例のブロック図である。
【図１０】本発明の一実施例に従って、狭帯域干渉（ＮＢＩ）検出機能例のブロック図である。
【図１１】本発明の一実施例に従って、デジタル・バックエンド例のブロック図である。
【図１２】本発明の一実施例に従って、周波数ホッピングを使用して、ピコネットを確立する方法例のフローチャートである。
【図１３】本発明の一実施例に従って、アクセス通信装置によって実行される場合、本発明の実施例の少なくとも１つの側面を通信装置に実行させる内容を含む記憶媒体のブロック図である。
【図１】
2006525688.tif 000003
【図２】
2006525688.tif 000004
【図３】
2006525688.tif 000005
【図４】
2006525688.tif 000006
【図５】
2006525688.tif 000007
【図６】
2006525688.tif 000008
【図７】
2006525688.tif 000009
【図８】
2006525688.tif 000010
【図９】
2006525688.tif 000011
【図１０】
2006525688.tif 000012
【図１１】
2006525688.tif 000013
【図１２】
2006525688.tif 000014
【図１３】
2006525688.tif 000015
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
１またはそれ以上のアンテナを介して送信するためのマルチバンド超広帯域（ＭＢ−ＵＷＢ）信号を生成する送信機からなり、前記生成されたＭＢ−ＵＷＢ信号は複数の異なる周波数帯に複数（Ｎ）の狭帯域内パルスを含み、所与の狭帯域内の連続または並列のパルス数（Ｍ）は１より多いパルスであることを特徴とする装置。
【請求項２】
前記送信機は、
前記生成されたマルチバンド超広帯域信号における前記狭帯域パルスの選択したものから送信用の受信内容をエンコードするためのフロント・エンドを含むことを特徴とする請求項１記載の装置。
【請求項３】
前記送信機のフロント・エンドは、
前記内容を受信し、そこにエラー訂正情報を組み込むための１またはそれ以上のエンコーダを含むことを特徴とする請求項２記載の装置。
【請求項４】
前記１またはそれ以上のエンコーダは、前記受信内容に対しリード・ソロモン符号化、パンクチュアード畳み込み符号化、リード−ソロモン符号化と結合した連鎖畳み込み符号化、ターボ符号化、および／または、低密度パリティーチェック（ＬＤＰＣ）符号化の１またはそれ以上を行い、遠隔受信機で受信した信号内のバースト・エラーの検出および訂正を可能とすることを特徴とする請求項３記載の装置。
【請求項５】
前記送信機のフロント・エンドは、
前記エンコーダに応答して、前記エンコードされた内容に対しＭ−ａｒｙの２進直交キーイング（ＭＢＯＫ）を行なうための１またはそれ以上のマッパーを含むことを特徴とする請求項２記載の装置。
【請求項６】
前記送信機のフロント・エンドは、
２進直交の前記マッパーに応答して、複数ブロック（Ｎ）の内容に亘って前記エンコードされた内容をインターリーブするための１またはそれ以上のインターリーバをさらに含むことを特徴とする請求項５記載の装置。
【請求項７】
前記送信機のフロント・エンドは、
前記インターリーバに応答して、インターリーブされた内容を受信し、疑似ランダム雑音（ＰＮ）マスクをそれに適用するためのコンバイナ要素をさらに含むことを特徴とする請求項６記載の装置。
【請求項８】
前記送信機のフロント・エンドは、
前記コンバイナに応答して、マスクされた内容を受信し、プリアンブルをそれに適用するための合計要素をさらに含み、前記プリアンブルは前記マルチバンド超広帯域（ＭＢ−ＵＷＢ）信号の受信機中におけるタイミング同期およびチャネル推定を促進させることを特徴とする請求項７記載の装置。
【請求項９】
前記送信機は、
前記送信機のフロント・エンドに応答し、前記フロント・エンドから前記エンコードされた内容を受信し、前記受信内容を変調し、超広帯域（ＵＷＢ）スペクトラムの比較的狭い帯域内の複数（Ｎ）のパルスに亘って送信するためにそれを準備する無線周波数（ＲＦ）バックエンドをさらに含むことを特徴とする請求項３記載の装置。
【請求項１０】
前記ＲＦバックエンドは、
前記送信機のフロント・エンドに応答し、前記エンコードされた内容を受信し、直角位相シフト・キーイング（ＱＰＳＫ）を使用して、前記受信内容を変調するためのマルチバンド・モジュレータをさらに含むことを特徴とする請求項９記載の装置。
【請求項１１】
前記マルチバンド・モジュレータは、２進位相シフト・キーイング（ＢＰＳＫ）を使用して、前記受信内容を変調することを特徴とする請求項１０記載の装置。
【請求項１２】
前記送信機のフロント・エンドは、
前記エンコーダに応答して、複数（Ｎ）ブロックの内容に亘って前記エンコードされた内容をインターリーブするための１またはそれ以上のインターリーバをさらに含むことを特徴とする請求項２記載の装置。
【請求項１３】
前記送信機のフロント・エンドは、
前記エンコーダに応答し、エンコードされた内容を受信し、疑似ランダム雑音（ＰＮ）マスクをそれに適用するためのコンバイナ要素をさらに含むことを特徴とする請求項２記載の装置。
【請求項１４】
前記送信機のフロント・エンドは、
前記エンコーダに応答して、エンコードされた内容を受信し、プリアンブルをそれに適用するための合計要素をさらに含み、前記プリアンブルは前記マルチバンド超広帯域（ＭＢ−ＵＷＢ）信号の受信機中におけるタイミング同期およびチャネル推定を促進させることを特徴とする請求項２記載の装置。
【請求項１５】
前記プリアンブルは、前記超広帯域信号の少なくとも１つの狭帯域サブセットのために複数のＣＡＺＡＣ−１６シーケンス例により生成されることを特徴とする請求項１４記載の装置。
【請求項１６】
前記送信機は、
前記送信機のフロント・エンドに応答し、前記フロント・エンドから前記エンコードされた内容を受信し、前記受信内容を変調し、超広帯域（ＵＷＢ）スペクトラムの比較的狭い帯域内の複数（Ｎ）のパルスに亘って送信するためにそれを準備する無線周波数（ＲＦ）バックエンドをさらに含むことを特徴とする請求項１記載の装置。
【請求項１７】
前記ＲＦバックエンドは、
前記送信機のフロント・エンドに応答し、前記エンコードされた内容を受信し、直角位相シフト・キーイング（ＱＰＳＫ）を使用して、前記受信内容を変調するためのマルチバンド・モジュレータをさらに含むことを特徴とする請求項１６記載の装置。
【請求項１８】
１またはそれ以上のアンテナに結合され、超広帯域スペクトラムの複数の狭帯域に亘って拡散された複数（Ｎ）のパルスを受信しかつ復調し、そこに埋め込まれた内容を回復するための受信機をさらに含むことを特徴とする請求項１記載の装置。
【請求項１９】
前記装置がマルチバンド超広帯域信号を送信し、および／または、受信することができる１またはそれ以上のアンテナをさらに含むことを特徴とする請求項１記載の装置。
【請求項２０】
共通のアンテナを使用して個別の周波数上で同時に送信および受信を可能とするための周波数分割双方向（ＦＤＤ）を使用することを特徴とする請求項１９記載の装置。
【請求項２１】
前記送信機は、前記装置であることを特徴とする請求項１記載の装置。
【請求項２２】
狭帯域の数（Ｎ）は２と２０との間である一方、連続または並列パルスの数が２と１００との間であることを特徴とする請求項１記載の装置。
【請求項２３】
前記超広帯域スペクトラムの狭帯域の数は１５またはそれより少ない数であり、各帯域は５００メガヘルツ（ＭＨｚ）幅であり、毎秒５００＋メガビット（５００＋ｍｂ／ｓ）をサポートすることを特徴とする請求項２２記載の装置。
【請求項２４】
前記狭帯域の少なくとも１つのサブセット内における連続パルスの数は、４またはそれより少ない数であることを特徴とする請求項２３記載の装置。
【請求項２５】
１またはそれ以上のアンテナに応答して、超広帯域（ＵＷＢ）スペクトラムの狭帯域内にパルス数（Ｎ）で構成されたＵＷＢ信号を受信するための受信機を含む装置であって、前記各狭帯域内のパルス数（Ｍ）は１またはそれ以上であり、かつ前記受信機および／または送信機によってダイナミックに制御されることを特徴とする装置。
【請求項２６】
前記受信機は、
前記１またはそれ以上のアンテナに応答して、前記ＵＷＢスペクトラムのいずれかの前記狭帯域内のエネルギーを検出し、タイミング捕捉／同期およびチャネル推定を行なうチャネル捕捉要素を含むことを特徴とする請求項２５記載の装置。
【請求項２７】
前記チャネル捕捉要素は、
前記１またはそれ以上のアンテナに応答して、前記ＵＷＢスペクトラム内における前記複数の狭帯域の選択バンド内にあるプリアンブル情報の検出に基づいて、粗密タイミング捕捉および／または精密タイミング捕捉の１またはそれ以上を実行するタイミング捕捉要素を含むことを特徴とする請求項２６記載の装置。
【請求項２８】
前記受信機は、
前記超広帯域（ＵＷＢ）スペクトラムにおける１またはそれ以上の複数のマルチプル狭帯域内の信号を受信し、かつ前記受信信号を復調する無線周波数（ＲＦ）フロント・エンドを含むことを特徴とする請求項２５記載の装置。
【請求項２９】
前記ＲＦフロント・エンドによって実行される前記復調は、前記受信ＭＢ−ＵＷＢ信号の遠隔の送信機によって行なわれる前記変調と相補的であることを特徴とする請求項２８記載の装置。
【請求項３０】
前記ＲＦフロント・エンドは、前記受信信号に直角位相シフト・キーイング（ＱＰＳＫ）復調を行なうことを特徴とする請求項２８記載の装置。
【請求項３１】
前記受信機は、
送信中に遭遇したエラーの少なくとも１つのサブセットを訂正し、かつ前記受信したＭＢ−ＵＷＢ信号の復調された表現に埋め込まれた内容をデコードし、遠隔の送信機から前記受信機に送信された内容の表現を生成するデジタル・バックエンドを含むことを特徴とする請求項２５記載の装置。
【請求項３２】
前記デジタル・バックエンドは、１またはそれ以上のフィードフォワード・イコライザ、疑似ノイズ・マスク生成器、コンバイナ、ブロック逆インターリーバ、検出器、フィードバック・イコライザおよび／またはデコーダを含み、前記ＭＢ−ＵＷＢ信号の送信中に遭遇したエラーの少なくとも１つのサブセットを識別しかつ訂正し、かつ他の受信機のために意図された信号から前記受信機のために意図された前記受信信号内に埋め込まれたエンコード内容を識別することを特徴とする請求項３１記載の装置。
【請求項３３】
前記受信機に結合され、前記受信機がそれを通してＭＢ−ＵＷＢ信号を受信する１またはそれ以上のアンテナをさらに含むことを特徴とする請求項２５記載の装置。
【請求項３４】
前記装置は、１またはそれ以上のアンテナによってＭＢ−ＵＷＢ信号を同時に送信し受信するために、周波数分割双方向（ＦＤＤ）を使用することを特徴とする請求項３３記載の装置。
【請求項３５】
１またはそれ以上のアンテナを介して送信するためのマルチバンド超広帯域（ＭＢ−ＵＷＢ）信号を生成するための送信機をさらに含み、前記生成されたＭＢ−ＵＷＢ信号は複数の異なる周波数帯の複数（Ｎ）の狭帯域パルスからなり、所与の狭帯域内の連続するパルス数（Ｍ）は１より多いことを特徴とする請求項２５記載の装置。
【請求項３６】
前記装置は、前記受信機であることを特徴とする請求項２５記載の装置。
【請求項３７】
時間−周波数コード拡張を適用してマルチバンド超広帯域（ＭＢ−ＵＷＢ）信号による送信のための内容をエンコードする段階を含む方法であって、前記時間−周波数コード拡張はマルチバンド超広帯域（ＭＢ−ＵＷＢ）信号を含む複数（Ｎ）のいずれかの狭帯域内の連続するパルス数（Ｍ）を定義することを特徴とする方法。
【請求項３８】
前記エンコードする段階は、
前記送信に先立って前記内容に１またはそれ以上のエラー訂正コード、複数アクセス・コード、および／または、プリアンブルを組み入れる段階をさらに含むことを特徴とする請求項３７記載の方法。
【請求項３９】
前記エラー訂正コードは、リード・ソロモン符号化、パンクチュアード畳み込み符号化、リード−ソロモン符号化と結合した連鎖畳み込み符号化、ターボ符号化、および／または、低密度パリティーチェック（ＬＤＰＣ）符号化の１またはそれ以上を含むことを特徴とする請求項３８記載の方法。
【請求項４０】
前記エンコードする段階は、
前記内容にＭ−ａｒｙの２進直交キーイング（ＭＢＯＫ）を適用する段階と、
前記ＭＢＯＫでエンコードされた内容をインターリービングする段階と、
を含むことを特徴とする請求項３７記載の方法。
【請求項４１】
アクセスするマシンによって実行されるとき、前記マシンに請求項３７に従う方法を実行させる内容を含むことを特徴とする格納媒体。
【請求項４２】
内容を利用可能な状態に格納するメモリと、
前記メモリに結合され、請求項３７に従う方法を実行するために前記メモリ内の前記利用可能な状態の内容の少なくとも１つのサブセットを選択的にアクセスし実行する制御論理と、
を含むことを特徴とする通信装置。
【請求項４３】
マルチバンド超広帯域（ＵＷＢ）信号の複数（Ｎ）の狭帯域内における複数（Ｍ）の連続パルスで受信した内容を復調しデコードする方法であって、いずれか所与の狭帯域内における連続パルス数は１より大きいことを特徴とする方法。
【請求項４４】
前記受信したＭＢ−ＵＷＢ信号の１またはそれ以上の帯域に関連した狭帯域干渉（ＮＢＩ）を検出する段階と、
前記ＭＢ−ＵＷＢ信号内で検出された前記ＮＢＩの有害な影響を緩和する段階と、
をさらに含むことを特徴とする請求項４３記載の方法。
【請求項４５】
前記ＮＢＩの有害な影響を緩和する段階は、前記ＭＢ−ＵＷＢ信号の送信機に前記ＮＢＩが検出された帯域の使用を回避するよう指示する段階を含むことを特徴とする請求項４４記載の方法。
【請求項４６】
前記ＭＢ−ＵＷＢスペクトラムの複数の帯域内の選択帯域を分析し、チャネル・クリアランス・アクティビティを実行する段階と、
前記選択帯域内の閾値を越える信号内で識別されたプリアンブル情報に少なくとも基づいたタイミング同期を獲得する段階と、
をさらに含むこと特徴とする請求項４３記載方法。
【請求項４７】
アクセスするマシンによって実行されるとき、前記マシンに請求項４３に従う方法を実行させる内容を含むことを特徴とする格納媒体。
【請求項４８】
内容を利用可能な状態に格納するメモリと、
前記メモリに結合され、請求項４３に従う方法を実行するために前記メモリに選択的にアクセスし、そこに前記利用可能な状態の内容の少なくとも１つのサブセットを実行する制御論理と、
を含むことを特徴とする通信装置。
【国際調査報告】
2006525688.tif 000016